(57)【特許請求の範囲】
【請求項１】
表示モジュールを保持する保持部材と、
前記表示モジュールの表示部方向に配置されるとともに前記保持部材によって保持され、該表示モジュールの表示面上の位置の光を透過させる透明部と、該表示面周辺の位置の光を乱反射させる乱反射部とを一体化した導光板と
を有することを特徴とする携帯端末装置。
【請求項２】
前記保持部材と前記導光板との間に配置され、前記導光板の乱反射部側からの光を反射するとともに、前記保持部材側からの光を遮光する反射／遮光部材をさらに有することを特徴とする請求項１に記載の携帯端末装置。
【請求項３】
前記導光板は、前記保持部材に係止される係止爪をさらに有し、前記係止爪から光源による入光を受け付けることを特徴とする請求項１又は２に記載の携帯端末装置。
【請求項４】
前記導光板は、短手方向側の前記係止爪において光を乱反射させ、長手方向側の端部において光を透過させることを特徴とする請求項３に記載の携帯端末装置。
【発明の詳細な説明】
【技術分野】
【０００１】
本発明は、携帯端末装置に関する。
【背景技術】
【０００２】
従来、携帯電話機等の携帯端末装置には、該携帯端末装置の任意の場所を発光させる照光部、いわゆるイルミネーションが搭載されたものがある。また、携帯端末装置には、第１表示部を有する筐体の背面側に第２表示部が設けられたものがある。かかる第２表示部には、現在時刻、電子メールを受信したこと、及び、着呼したこと等が表示される。
【０００３】
図４を用いて、従来技術に係る携帯端末装置を説明する。図４は、従来技術に係る携帯端末装置の例を示す図である。例えば、図４に示すように、従来技術に係る携帯端末装置は、第１表示部を有する筐体の背面側に第２表示部と照光部とを有する。例えば、第２表示部は、上記のように、各種情報を表示するものであり、照光部は、ＬＥＤ（Light  Emitting  Diode）等の光源からの入光により発光する。
【０００４】
図５Ａは、図４に示したＸ−Ｘ断面を示す図である。また、図５Ｂは、図４に示したＹ−Ｙ断面を示す図である。例えば、図５Ａに示すように、従来技術に係る携帯端末装置の筐体は、照光部と、第２表示部と、板金と、金属部材と、緩衝部材とを有する。このうち、照光部は、例えば、光源からの入光により発光し、イルミネーションの役割を担う。第２表示部は、例えば、現在時刻や着呼したこと等の各種情報を表示出力する。
【０００５】
板金、金属部材及び緩衝部材等は、例えば、照光部による発光で第２表示部に対して光が漏れることにより、第２表示部による表示出力が見えにくくなることを抑止するために設けられている。なお、金属部材については、支持部材等の他の用途で利用されていた部材の高さを高くすることにより、照光部によって発光された光が第２表示部に対して入力されるのを抑止している。また、例えば、図５Ｂに示すように、従来技術に係る携帯端末装置の筐体は、ＬＥＤ等の光源による入光で照光部の全体を発光させる。
【０００６】
上記従来技術は、１つのＬＥＤを用いて長手方向の照光部に入光させて、イルミネーションを広範囲に適用しているものの、光源から離れた位置の照光部の輝度を一定に保つことは困難となってしまい、光量にムラが生じることがある。
【０００７】
光量を補うものとして、最近では、有機ＥＬ（Organic  ElectroLuminescence）を光源として、該有機ＥＬ自身を発光させてイルミネーションを実現するものや、液晶ＴＶ（TeleVision）にドットパターンを有する導光板を用いて光量を補うものもある。液晶ＴＶに導光板を用いる技術では、光を散乱するドットパターンを設けることで光量を均一にしている。また、導光板については、光を散乱するドットパターンではなく、光をそのまま透過する透明な導光板を用いる技術もある。
【先行技術文献】
【特許文献】
【０００８】
【特許文献１】特開２００６−５４６２４号公報
【特許文献２】特開２００３−１７７６８９号公報
【特許文献３】特開２０１０−２１０７３号公報
【発明の概要】
【発明が解決しようとする課題】
【０００９】
しかしながら、従来技術では、第１表示部や第２表示部等の各種表示部に対する遮光が十分でないという課題がある。例えば、従来技術では、携帯端末装置の筐体内において、光源による光が各種部材の端部等で反射し、該各種部材の隙間を抜けて第２表示部に到達するので、第２表示部に対する完全な遮光が困難である。この結果、従来技術は、十分な光量を得たとしても第２表示部に対する遮光が不十分となってしまい、第２表示部の表示出力の品質を低下させることがある。
【００１０】
そこで、本願に開示する技術は、上記に鑑みてなされたものであって、装置内部の発光素子から漏れた光が表示部の表示面に入り込むことを効果的に抑止することが可能である携帯端末装置を提供することを目的とする。
【課題を解決するための手段】
【００１１】
上述した課題を解決し、目的を達成するため、本願に開示する携帯端末装置は、表示モジュールを保持する保持部材と、前記表示モジュールの表示部方向に配置されるとともに前記保持部材によって保持され、該表示モジュールの表示面上の位置の光を透過させる透明部と、該表示面周辺の位置の光を乱反射させる乱反射部とを一体化した導光板とを有する。
【発明の効果】
【００１２】
本願に開示する携帯端末装置の一つの態様は、装置内部の発光素子から漏れた光が表示部の表示面に入り込むことを効果的に抑止することができるという効果を奏する。
【図面の簡単な説明】
【００１３】
【図１】図１は、本実施例に係る携帯端末装置の例を示す外観斜視図である。
【図２】図２は、図１に示したＡ−Ａ断面における第１筐体内の構造の例を説明する図である。
【図３】図３は、本実施例に係る第１筐体の分解斜視図である。
【図４】図４は、従来技術に係る携帯端末装置の例を示す図である。
【図５Ａ】図５Ａは、図４に示したＸ−Ｘ断面を示す図である。
【図５Ｂ】図５Ｂは、図４に示したＹ−Ｙ断面を示す図である。
【発明を実施するための形態】
【００１４】
以下に添付図面を参照して、本願に開示する携帯端末装置の実施例を説明する。なお、以下の実施例により本発明が限定されるものではない。
【実施例】
【００１５】
［外観斜視図］
図１を用いて、本実施例に係る携帯端末装置を説明する。図１は、本実施例に係る携帯端末装置の例を示す外観斜視図である。
【００１６】
例えば、図１に示すように、携帯端末装置１００は、第１筐体１１０と、第２筐体１２０とを有する。このうち、第１筐体１１０は、例えば、第１表示部や受話口等を有するとともに、該第１表示部等の背面に第２表示部１１１を有する。この第２表示部１１１は、例えば、現在時刻、電子メールを受信したこと、及び、着呼したこと等を表示出力する。また、第２筐体１２０は、例えば、各種操作キー、送話口及び電池ケース等を有する。なお、図１に示す第２表示部１１１の周囲の網掛けは、イルミネーションの発光の例を示している。
【００１７】
［筐体内の構造］
次に、図２を用いて、図１に示したＡ−Ａ断面における第１筐体１１０内の構造を説明する。図２は、図１に示したＡ−Ａ断面における第１筐体１１０内の構造の例を説明する図である。
【００１８】
例えば、図２に示すように、第１筐体１１０は、第２表示部１１１と、光源１１２と、ホルダー１１３と、導光板１１４と、反射シート１１５と、背面パネル１１６と、タッチパネル１１７と、基板１１８とを有する。第２表示部１１１は、例えば、タッチパネル１１７の反対方向となる背面パネル１１６側に、現在時刻、電子メールを受信したこと、及び、着呼したこと等の各種情報を表示出力する。
【００１９】
光源１１２は、例えば、ＬＥＤ等を利用した光源であり、該ＬＥＤによる側面発光により導光板１１４に光を入光させる。なお、光源１１２の数は、任意の数である。ホルダー１１３は、例えば、第２表示部１１１を保持するとともに、導光板１１４を保持する。また、ホルダー１１３の色は、一つの態様として、光が反射しにくい色にすれば良い。光が反射しにくい色の例としては、黒色である。
【００２０】
導光板１１４は、例えば、第２表示部１１１の表示出力の方向に、該第２表示部１１１の表示部の面に接して配置される。また、導光板１１４は、第２表示部１１１の表示面上の位置の光を透過させる透明部と、表示面周辺の位置の光を乱反射させる乱反射部とを一体化している。また、導光板１１４は、該導光板１１４の短手方向における、ホルダー１１３に係止される係止爪から光源１１２による光の入光を受け付けるとともに、長手方向における端面からも光源１１２による光の入光を受け付ける。導光板１１４では、光量を維持するために、ホルダー１１３に係止される短手方向側の係止爪において光を乱反射させ、長手方向側の端面において光を透過させる。
【００２１】
短手方向側の端面からの入射光を導光板１１４内に効果的に拡散させるためには、短手方向側の端面に拡散形状を施すと良い。かかる拡散形状は、発光素子である光源１１２からの入射光の導光板１１４に対する入光角度が、位置により異なるような形状であれば良い。例えば、入光角度が位置により異なるような形状とは、波型形状や鋸型形状等である。一方、長手方向側の端面には、長手方向における乱反射の光量を均一にさせるという観点から、発光素子である光源１１２からの入射光の導光板１１４に対する入射角度が一定となるような形状を施すと良い。例えば、入射角度が一定となるような形状とは、平面形状である。
【００２２】
すなわち、導光板１１４は、光源１１２からの入光により乱反射部の位置ではイルミネーションの役割を担い、透明部の位置では第２表示部１１１による表示をそのまま出力する役割を担っている。つまり、乱反射部の位置では、光が乱反射されることでイルミネーションにおいて一定の光量を維持する。また、透明部の位置では、反射されることなく光を透過するのみであるので、第２表示部１１１の表示部の位置において光が反射されることに起因して、表示出力が見えにくくなることを防止する。また、特に短手方向については、対向する乱反射部から、透明部をそのまま透過して得られる光を受け付けることが可能であるので、光量のさらなる増大を見込める。
【００２３】
また、上記のように、ホルダー１１３は、第２表示部１１１と導光板１１４とを保持しているので、これらのホルダー１１３、第２表示部１１１及び導光板１１４とは一体化されている。これらが一体化されることは、第２表示部１１１による表示出力の位置にずれが生じたり、生じたずれによって第２表示部１１１の表示面に、反射された光が入光したりするのを抑制することに繋がる。また、ホルダー１１３と導光板１１４とは、背面パネル１１６と接するほどの厚みを有しており、第１筐体１１０が歪むことを抑制したり、該第１筐体１１０に近接することで光源１１２からの光を外部に効率良く発光させたりしている。
【００２４】
反射シート１１５は、例えば、ホルダー１１３と導光板１１４との間に接して配置され、導光板１１４の乱反射部側からの光を反射する。また、反射シート１１５は、乱反射部側とは反対、すなわちホルダー１１３側からの光を遮光する。つまり、反射シート１１５は、乱反射部側からの光を反射させ、ホルダー１１３側からの光を遮光することで、背面パネル１１６上に表出させるイルミネーションの光量をさらに増大させている。
【００２５】
背面パネル１１６は、例えば、第１筐体１１０の外面を覆うパネルであり、第２表示部１１１によって表示出力される各種情報を第１筐体１１０の外面からのみ視認可能なミラー等を有する。詳細には、第２表示部１１１によって表示出力される部分の背面パネル１１６は、例えば、内面から外面への方向に向かう光がミラー構造によって反射される。タッチパネル１１７は、例えば、携帯端末装置１００のメインとなる各種情報を表示出力するとともに、画面を触れられた場合には入力装置にもなる。なお、タッチパネル１１７については、タッチパネルでなくても良く、入力装置は第２筐体１２０のみに設けていても良い。基板１１８は、例えば、回路素子が組み込まれていたり、プリント配線されていたりする板である。
【００２６】
［分解斜視図］
次に、図３を用いて、本実施例に係る第１筐体１１０を説明する。図３は、本実施例に係る第１筐体１１０の分解斜視図である。
【００２７】
例えば、図３に示すように、第１筐体１１０は、タッチパネル１１７から背面パネル１１６に向かって、第２表示部１１１、ホルダー１１３、反射シート１１５及び導光板１１４を有する。また、第２表示部１１１、ホルダー１１３、反射シート１１５及び導光板１１４は、上記のように一体化されているため、部品のずれ等によって第２表示部１１１の表示出力が見えにくくなるような光が入光されることはない。
【００２８】
［実施例による効果］
上述したように、携帯端末装置１００は、文字等の表示出力を行なう第２表示部１１１の表示面上の位置の光を透過させる透明部と、表示面周辺の位置の光を乱反射させる乱反射部とを一体化した導光板１１４を適用する。また、携帯端末装置１００は、第２表示部１１１と導光板１１４とをホルダー１１３で保持する。この結果、携帯端末装置１００は、表示モジュールに対する遮光に複数の部品を用いたとしても電子部品の隙間から表示モジュールの表示部に光が漏れてしまう従来技術と比較して、装置内部の発光素子から漏れた光が表示部の表示面に入り込むことを効果的に抑止することができる。
【００２９】
また、携帯端末装置１００は、導光板１１４とホルダー１１３との間に、導光板１１４側からの光を反射するとともに、ホルダー１１３側からの光を遮光する反射シート１１５をさらに有する。この結果、携帯端末装置１００は、背面パネル１１６上に表出させるイルミネーションの光量をさらに増大することができる。加えて、携帯端末装置１００は、第２表示部１１１の周辺に配置された発光素子である光源１１２から漏れた光が第２表示部１１１の表示面に入り込むことを効果的に抑止することができる。
【００３０】
また、携帯端末装置１００は、導光板１１４にホルダー１１３に係止される係止爪をさらに有し、該係止爪から光源１１２による入光を受け付け、短手方向の係止爪では光を乱反射させ、長手方向の端部においては光を透過させる。この結果、携帯端末装置１００は、対向する距離の短い短手方向において、透明部を通過して対向する乱反射部に到達する光をさらに乱反射させることができるので、背面パネル１１６上に表出させるイルミネーションの光量をさらに増大することができる。
【００３１】
なお、上記実施例では、ホルダー１１３と導光板１１４との間に、反射及び遮光可能な反射シート１１５を用いる場合を説明したが、該反射シート１１５は利用しなくても良い。すなわち、反射シート１１５を省略した場合であっても、乱反射部及び透明部を一体化した導光板１１４によって、第２表示部１１１の周辺に配置された光源１１２から漏れた光が第２表示部１１１の表示面に入り込むことを抑止することができる。また、上記実施例における係止爪等の配置については、図示のものに限られるものではなく、任意の場所に配置できる。
【符号の説明】
【００３２】
１００  携帯端末装置
１１０  第１筐体
１１１  第２表示部
１１２  光源
１１３  ホルダー
１１４  導光板
１１５  反射シート
１１６  背面パネル
１１７  タッチパネル
１１８  基板
１２０  第２筐体
【図１】
0005482588.tif 000002
【図２】
0005482588.tif 000003
【図３】
0005482588.tif 000004
【図４】
0005482588.tif 000005
【図５Ａ】
0005482588.tif 000006
【図５Ｂ】
0005482588.tif 000007